(57)【特許請求の範囲】
【請求項１】
防水シートと、前記防水シートで浴槽部を構成するように前記防水シートを固定する固定手段と、を備え、
前記固定手段は前記浴槽部の外周側に設けられた第１の嵌合部と第２の嵌合部との間に前記防水シートを挟んで前記第１の嵌合部と前記第２の嵌合部とによる嵌合で固定するとともに、前記防水シートが前記浴槽部において入浴者の自重によりその入浴者の体形に合った凹部に形成されることを特徴とする簡易浴槽。
【請求項２】
その外周上面に嵌合部が設けられた枠体と、
前記枠体の嵌合部と嵌合し嵌合構造を構成する嵌合部材と、
前記枠体全体を覆うように前記枠体と前記嵌合部材との間に配置された防水シートと、を備え、
前記嵌合部と前記嵌合部材との間に挟まれて前記嵌合構造により固定された前記防水シートが前記枠体と一体になって浴槽部を構成することを特徴とする組み立て式簡易浴槽。
【請求項３】
前記防水シートが前記浴槽部において入浴者の自重によりその入浴者の体形に合った凹部に形成されることを特徴とする請求項２に記載の組み立て式簡易浴槽。
【請求項４】
前記枠体は底部を有し容器状になっていることを特徴とする請求項２または３に記載の組み立て式簡易浴槽。
【請求項５】
第１の嵌合部がその外周上面に設けられた第１の枠体と、
前記第１の枠体の第１の嵌合部と嵌合し嵌合構造を構成する第２の嵌合部がその外周下面に設けられ前記第１の枠体の上部に位置する第２の枠体と、
前記第１の枠体全体を覆うように前記第１の枠体と前記第２の枠体との間に配置された防水シートと、を備え、
前記第１の嵌合部と前記第２の嵌合部との間に挟まれて前記嵌合構造により固定された前記防水シートが前記第１の枠体及び前記第２の枠体と一体になって浴槽部を構成することを特徴とする組み立て式簡易浴槽。
【請求項６】
前記第１の枠体と前記第２の枠体とが同一形状に構成され、３段以上に積み重ね可能であることを特徴とする請求項５に記載の組み立て式簡易浴槽。
【請求項７】
第１の嵌合部がその外周上面に設けられた第１の枠体と、
前記第１の枠体の第１の嵌合部と嵌合し嵌合構造を構成する第２の嵌合部がその外周下面に設けられかつその外周上面に第３の嵌合部が設けられ前記第１の枠体の上部に位置する第２の枠体と、
前記第２の枠体の第３の嵌合部と嵌合し嵌合構造を構成する第４の嵌合部がその外周下面に設けられ前記第２の枠体の上部に位置する第３の枠体と、
前記第１の枠体全体を覆うように前記第１の枠体と前記第２の枠体との間に配置された第１の防水シートと、
前記第２の枠体全体を覆うように前記第２の枠体と前記第３の枠体との間に配置された第２の防水シートと、を備え、
前記第３の嵌合部と前記第４の嵌合部との間に挟まれて前記嵌合構造により固定された前記第２の防水シートが前記第２の枠体及び前記第３の枠体と一体になって浴槽部を構成し、
前記第１の嵌合部と前記第２の嵌合部との間に挟まれて前記嵌合構造により固定された前記第１の防水シートが前記第１の枠体及び前記第２の枠体と一体になって前記浴槽部からの排水を貯溜する貯溜部を構成することを特徴とする組み立て式簡易浴槽。
【請求項８】
前記第１の枠体及び前記第３の枠体が前記第２の枠体と同一形状に構成され、
前記第１の枠体の部分、前記第２の枠体の部分及び前記第３の枠体の部分がそれぞれ２段または２段以上に積み重ね可能であることを特徴とする請求項７に記載の組み立て式簡易浴槽。
【請求項９】
前記嵌合構造は一方が凹部であり他方が凸部である分離可能な凹凸嵌合構造であることを特徴とする請求項２乃至８のいずれか１項に記載の組み立て式簡易浴槽。
【請求項１０】
前記嵌合構造は凹部とこの凹部に嵌合する弾性体からなる嵌合体とを含むことを特徴とする請求項２乃至９のいずれか１項に記載の組み立て式簡易浴槽。
【請求項１１】
前記各枠体が発泡樹脂製であることを特徴とする請求項２または４乃至１０のいずれか１項に記載の組み立て式簡易浴槽。
【請求項１２】
前記嵌合部材が発泡樹脂製であることを特徴とする請求項２に記載の組み立て式簡易浴槽。
【請求項１３】
前記発泡樹脂製の枠体及び／又は嵌合部材にコーティング処理を施したことを特徴とする請求項１１または１２に記載の組み立て式簡易浴槽。
【請求項１４】
その外周上面に設けられた第１の嵌合部を備え、組み立て式簡易浴槽を構成可能な枠体であって、
前記枠体の第１の嵌合部と別部材の第２の嵌合部とが嵌合し嵌合構造を構成し、
前記枠体全体を覆うように前記枠体と前記別部材との間に防水シートを配置し、この防水シートが前記第１の嵌合部と前記第２の嵌合部との間に挟まれて前記嵌合構造により固定されて前記枠体及び前記別部材と一体になって浴槽部を構成するようになっていることを特徴とする組み立て式簡易浴槽用枠体。
【請求項１５】
第１の嵌合部がその外周上面に設けられた第１の枠体と、前記第１の枠体の第１の嵌合部と嵌合し嵌合構造を構成する第２の嵌合部がその外周下面に設けられ前記第１の枠体の上部に位置する第２の枠体と、前記第１の枠体全体を覆うように前記第１の枠体と前記第２の枠体との間に配置された防水シートと、を備える組み立て式簡易浴槽、を用いて被介護者を寝たままの状態で入浴させる介護方法であって、
寝た状態の被介護者の下に前記防水シートを敷くステップと、
前記第１の枠体を前記被介護者を囲むように設置するステップと、
前記防水シートの周囲が前記第１の枠体の外周上面を覆うように前記防水シートの周囲を位置決めるステップと、
前記第１の枠体に前記第２の枠体を積み重ねて前記第１の嵌合部と前記第２の嵌合部とを前記防水シートを挟んだ状態で嵌合させ、前記防水シートを前記嵌合構造で固定するステップと、
前記防水シートと前記第２の枠体とから構成された浴槽部にお湯を注入するステップと、を含むことを特徴とする介護方法。
【請求項１６】
請求項７または８に記載の組み立て式簡易浴槽を用いて被介護者を入浴させる介護方法であって、
前記第２の防水シートと前記第３の枠体とから構成された浴槽部にお湯を注入し被介護者を入浴させるステップと、
前記入浴終了後、前記第２の防水シートに排水部を形成し、前記浴槽部内のお湯を前記排水部を通して前記貯溜部に排水するステップと、
前記浴槽部で前記被介護者の体を拭くステップと、を含むことを特徴とする介護方法。
【請求項１７】
請求項６または８に記載の組み立て式簡易浴槽を用いて被介護者を入浴させる介護方法であって、
前記枠体の積み重ね数を調整して前記浴槽の最上面を被介護者の寝台の高さに合わせるステップと、
被介護者を前記浴槽部に移動させるステップと、を含むことを特徴とする介護方法。
【発明の詳細な説明】
【０００１】
【発明の属する技術分野】
本発明は、防水シートを固定して浴槽部を構成する簡易浴槽、組み立て式簡易浴槽、組み立て式簡易浴槽用枠体及びこの組み立て式簡易浴槽を用いた介護方法に関するものである。
【０００２】
【従来の技術】
従来、組み立て式簡易浴槽として、例えば、特開２００１−９５８８２号公報に記載された簡易浴槽が公知である。この組み立て式簡易浴槽は枠で浴槽の周囲を形成し、シートで浴槽の底部を形成し、枠の周囲とシートの周囲をマジックテープで固定したり、枠の外周下面とシートの周囲をファスナーで固定している。
【０００３】
しかしながら、上述の組み立て式の簡易浴槽では、浴槽の周囲の高さが一定であるため浴槽の高さを調節できず不便な場合があり、また、シートと枠の固定はマジックテープやファスナーであるためシートが枠から外れ易く、外れてしまうと水漏れが起き、また、浴槽の底部はシートであるため設置した場所の影響を受け、設置場所によっては凹凸状に変形してしまい入浴感が良くないことがあった。
【０００４】
【発明が解決しようとする課題】
本発明は、上述のような従来技術の問題に鑑み、防水シートを固定し、防水シートが浴槽部において入浴者の体形に合った凹部を形成し、また、浴槽の高さを調節できる簡易浴槽、組み立て式簡易浴槽、組み立て式簡易浴槽用枠体及びこの組み立て式簡易浴槽を用いた介護方法を提供することを目的とする。
【０００５】
【課題を解決するための手段】
上記目的を達成するために本発明による簡易浴槽は、防水シートと、前記防水シートで浴槽部を構成するように前記防水シートを固定する固定手段と、を備え、前記固定手段は前記浴槽部の外周側に設けられた第１の嵌合部と第２の嵌合部との間に前記防水シートを挟んで前記第１の嵌合部と前記第２の嵌合部とによる嵌合で固定するとともに、前記防水シートが前記浴槽部において入浴者の自重によりその入浴者の体形に合った凹部に形成されることを特徴とする。
【０００６】
この簡易浴槽によれば、浴槽部の防水シートが入浴者及びお湯の自重で変形し体形にあった凹部を形成することが可能であるので、設置場所の影響を受けず、入浴時に浮力感を得ることができ、また、浴槽部に使用するお湯の量を従来の浴槽に比べて少なくすることができ、人体にかかる水圧も少なくなる。
【０００７】
また、本発明による第１の組み立て式簡易浴槽は、その外周上面に嵌合部が設けられた枠体と、前記枠体の嵌合部と嵌合し嵌合構造を構成する嵌合部材と、前記枠体全体を覆うように前記枠体と前記嵌合部材との間に配置された防水シートと、を備え、前記嵌合部と前記嵌合部材との間に挟まれて前記嵌合構造により固定された前記防水シートが前記枠体と一体になって浴槽部を構成することを特徴とする。
【０００８】
この第１の組み立て式簡易浴槽によれば、防水シートが嵌合構造で固定されるので、浴槽の使用時に枠体から外れ難くなり、また、浴槽の非使用時に防水シートと枠体と嵌合部材とに分解することができるので、浴槽の運搬や収納が容易であり、また、防水シートは必要に応じて交換することができる。さらに、浴槽部の底が設置場所の床より高い位置にあるので、お湯の回収作業が容易になる。
【０００９】
また、前記防水シートが前記浴槽部において入浴者の自重によりその入浴者の体形に合った凹部に形成されることによって、設置場所の影響を受けず、入浴時に浮力感を得ることができ、また、浴槽部に使用するお湯の量を従来の浴槽に比べて少なくすることができ、人体にかかる水圧も少なくなる。
【００１０】
また、前記枠体は中空状であって底部がない状態で使用可能であるが、底部を有し容器状になっていても良い。このように枠体を容器状にすることにより、枠体の安定性が増し、防水シートからお湯が漏れても外部へ流出するのを防ぎ、また、防水シートと底部との間に密閉された空間ができ、この空間が入浴時にお湯と入浴者の自重により圧縮されても密閉されているのでエアクッションの役割をはたし、浮力感が一層増す。さらに、この空間の空気がお湯の温度で膨張し防水シートがより一層エアクッションの機能をはたし、浮力感がより一層増す。また、浴槽部内のお湯の温度を一定に保つことができる。
【００１１】
なお、防水シートの張り具合を調節することで、防水シートと底部との間の密閉された空間の容積を調整するようにしても良い。これにより、防水シートと底部との間の密閉された空間が浴槽部のお湯及び入浴者の自重により圧縮されるときの内圧を調整することができる。
【００１２】
また、本発明による第２の組み立て式簡易浴槽は、第１の嵌合部がその外周上面に設けられた第１の枠体と、前記第１の枠体の第１の嵌合部と嵌合し嵌合構造を構成する第２の嵌合部がその外周下面に設けられ前記第１の枠体の上部に位置する第２の枠体と、前記第１の枠体全体を覆うように前記第１の枠体と前記第２の枠体との間に配置された防水シートと、を備え、前記第１の嵌合部と前記第２の嵌合部との間に挟まれて前記嵌合構造により固定された前記防水シートが前記第１の枠体及び前記第２の枠体と一体になって浴槽部を構成することを特徴とする。
【００１３】
この第２の組み立て式簡易浴槽によれば、防水シートが嵌合構造で固定されるので、浴槽の使用時に枠体から外れ難くなり、また、浴槽の非使用時に防水シートと第１の枠体と第２の枠体とに分解することができるので、浴槽の運搬や収納が容易であり、また、防水シートは必要に応じて交換することができる。なお、防水シートが上述と同様に入浴者及びお湯の自重で変形し体形にあった凹部を形成することが可能であるので、設置場所の影響を受けず、入浴時に浮力感を得ることができ、また、浴槽部に使用するお湯の量を従来の浴槽に比べて少なくすることができ、人体にかかる水圧も少なくなる。
【００１４】
また、前記第１の枠体と前記第２の枠体とが同一形状に構成され、３段以上に積み重ね可能とすることにより、所望の高さの浴槽を設置することができ、また、同一形状の枠体で浴槽を構成できるので、コストがかからない。また、浴槽部の底が設置場所の床より高い位置になることでお湯の回収作業が容易になる。
【００１５】
また、本発明による第３の組み立て式簡易浴槽は、第１の嵌合部がその外周上面に設けられた第１の枠体と、前記第１の枠体の第１の嵌合部と嵌合し嵌合構造を構成する第２の嵌合部がその外周下面に設けられかつその外周上面に第３の嵌合部が設けられ前記第１の枠体の上部に位置する第２の枠体と、前記第２の枠体の第３の嵌合部と嵌合し嵌合構造を構成する第４の嵌合部がその外周下面に設けられ前記第２の枠体の上部に位置する第３の枠体と、前記第１の枠体全体を覆うように前記第１の枠体と前記第２の枠体との間に配置された第１の防水シートと、前記第２の枠体全体を覆うように前記第２の枠体と前記第３の枠体との間に配置された第２の防水シートと、を備え、前記第３の嵌合部と前記第４の嵌合部との間に挟まれて前記嵌合構造により固定された前記第２の防水シートが前記第２の枠体及び前記第３の枠体と一体になって浴槽部を構成し、前記第１の嵌合部と前記第２の嵌合部との間に挟まれて前記嵌合構造により固定された前記第１の防水シートが前記第１の枠体及び前記第２の枠体と一体になって前記浴槽部からの排水を貯溜する貯溜部を構成することを特徴とする。
【００１６】
この第３の組み立て式簡易浴槽により、第２の防水シートが入浴者及びお湯の自重で変形し体形にあった凹部を形成することが可能であるので、設置場所の影響を受けず、入浴時に浮力感を得ることができ、また、浴槽部に使用するお湯の量を従来の浴槽に比べて少なくすることができ、人体にかかる水圧も少なくなる。
【００１７】
また、第１の防水シートと第２の防水シートとの間に密閉された空間ができ、この空間が入浴時にお湯と入浴者の自重により圧縮されても密閉されているので第２の防水シートはエアクッションの役割をはたし、浮力感が一層増す。さらに、この空間の空気がお湯の温度で膨張し第２の防水シートがより一層エアクッションの機能をはたし、浮力感がより一層増す。また、浴槽部内のお湯の温度を一定に保つことができる。また、例えば、第２の防水シートの底部に穴を開けたり、第２の防水シートの底部に予め設置した栓を抜いたりすることで、第１の防水シートに浴槽部の排水を貯溜することができ、使用後のお湯の回収作業が簡単になる。さらに、第２の防水シートに穴が開いても、漏れたお湯が第１の防水シートに貯溜し外部へ流出するのを防ぐことができる。
【００１８】
さらに、第１の防水シート及び第２の防水シートの少なくとも一方の張り具合を調節することで、第１の防水シートと第２の防水シートとの間の密閉された空間が浴槽部のお湯及び入浴者の自重により圧縮されるときの内圧を調整することができる。
【００１９】
また、前記第１の枠体及び前記第３の枠体が前記第２の枠体と同一形状に構成され、前記第１の枠体の部分、前記第２の枠体の部分及び前記第３の枠体の部分がそれぞれ２段または２段以上に積み重ね可能であることにより、所望の高さの浴槽を設置することができ、また、同一形状の枠体で浴槽を構成できるので、コストがかからない。また、浴槽部の底が設置場所の床より高い位置になることでお湯の回収作業が容易になる。
【００２０】
また、前記嵌合構造は一方が凹部であり他方が凸部である分離可能な凹凸嵌合構造であることにより、強固に防水シートを固定することができ、しかも、浴槽を分解したり、組み立てたりすることができるので浴槽の運搬、収納、設置が容易になる。
【００２１】
また、前記嵌合構造は凹部とこの凹部に嵌合する弾性体からなる嵌合体とを含むことにより、防水シートを枠体に固定することができる。ここで嵌合体は、例えば凹部の中に埋没するように嵌合することが好ましい。また、凹部と凹部の間に嵌合可能な形状の嵌合体を嵌合させることで凹部同士の嵌合が可能になる。
【００２２】
また、前記各枠体が発泡樹脂製であることにより軽量化が図られ、持ち運びや組み立てを容易にすることができる。また、発泡樹脂の弾性により例えばアクシデントなどで体をぶつけた場合、怪我を回避することができ、人体に対して安全な浴槽を構成することができる。さらに、断熱効果があるので浴槽部内のお湯の温度を保つことができる。
【００２３】
また、前記嵌合部材が発泡樹脂製であることにより軽量化が図られ、持ち運びや組み立てを容易にすることができる。また、発泡樹脂の弾性により例えばアクシデントなどで体をぶつけた場合、怪我を回避することができ、人体に対して安全な浴槽を構成することができる。さらに、断熱効果があるので浴槽部内のお湯の温度を保つことができる。
【００２４】
また、前記発泡樹脂製の枠体及び／又は嵌合部材にコーティング処理を施したことで、コーティング層の断熱性により浴槽内のお湯の温度を保ち、浴槽がより強靱になり浴槽の寿命を延ばすことができる。さらに、浴槽内のお湯を防水することで、例えば室内の様々な場所に浴槽を設置することができる。
【００２５】
また、本発明による組み立て式簡易浴槽用枠体は、その外周上面に設けられた第１の嵌合部を備え、組み立て式簡易浴槽を構成可能な枠体であって、前記枠体の第１の嵌合部と別部材の第２の嵌合部とが嵌合し嵌合構造を構成し、前記枠体全体を覆うように前記枠体と前記別部材との間に防水シートを配置し、この防水シートが前記第１の嵌合部と前記第２の嵌合部との間に挟まれて前記嵌合構造により固定されて前記枠体及び前記別部材と一体になって浴槽部を構成するようになっていることを特徴とする。
【００２６】
これにより、枠体は別部材との嵌合で防水シートを固定し浴槽部を形成した組み立て式簡易浴槽を構成し、複数の枠体や別部材の嵌合により浴槽の高さを調整し、また、軽量化することで持ち運びが容易になり、様々な場所に設置することができる浴槽を実現することができる。
【００２７】
本発明による組み立て式簡易浴槽を用いた第１の介護方法は、第１の嵌合部がその外周上面に設けられた第１の枠体と、前記第１の枠体の第１の嵌合部と嵌合し嵌合構造を構成する第２の嵌合部がその外周下面に設けられ前記第１の枠体の上部に位置する第２の枠体と、前記第１の枠体全体を覆うように前記第１の枠体と前記第２の枠体との間に配置された防水シートと、を備える組み立て式簡易浴槽、を用いて被介護者を寝たままの状態で入浴させる介護方法であって、寝た状態の被介護者の下に前記防水シートを敷くステップと、前記第１の枠体を前記被介護者を囲むように設置するステップと、前記防水シートの周囲が前記第１の枠体の外周上面を覆うように前記防水シートの周囲を位置決めるステップと、前記第１の枠体に前記第２の枠体を積み重ねて前記第１の嵌合部と前記第２の嵌合部とを前記防水シートを挟んだ状態で嵌合させ、前記防水シートを前記嵌合構造で固定するステップと、前記防水シートと前記第２の枠体とから構成された浴槽部にお湯を注入するステップと、を含むことを特徴とする。
【００２８】
この第１の介護方法により、浴槽を寝台上で設置できるので、例えば寝たきりの人や体が不自由で寝台から移動することができない人などの入浴介護が容易になる。また、防水シートが嵌合構造で固定されるので、浴槽の使用時に枠体から外れ難くなり、また、お湯を第１の枠体の外周上面を越えた高さまで注ぐことができる。
【００２９】
また、本発明による組み立て式簡易浴槽を用いた第２の介護方法は、上述の第３の組み立て式簡易浴槽や、この中で前記第１の枠体及び前記第３の枠体が前記第２の枠体と同一形状に構成され、前記第１の枠体の部分、前記第２の枠体の部分及び前記第３の枠体の部分がそれぞれ２段または２段以上に積み重ね可能であることを特徴とする組み立て式簡易浴槽、を用いて被介護者を入浴させる介護方法であって、前記第２の防水シートと前記第３の枠体とから構成された浴槽部にお湯を注入し被介護者を入浴させるステップと、前記入浴終了後、前記第２の防水シートに排水部を形成し、前記浴槽部内のお湯を前記排水部を通して前記貯溜部に排水するステップと、前記浴槽部で前記被介護者の体を拭くステップと、を含むことを特徴とする。
【００３０】
この第２の介護方法により、浴槽部からの排水処理が容易になるので、お湯を排水した状態の浴槽部で被介護者の体を拭くことが可能になり、入浴介護が容易になる。
【００３１】
また、本発明による組み立て式簡易浴槽を用いた第３の介護方法は、上述の第２の組み立て式簡易浴槽や、この中で前記第１の枠体と前記第２の枠体とが同一形状に構成され、３段以上に積み重ね可能であることを特徴とする組み立て式簡易浴槽、または、上述の第３の組み立て式簡易浴槽や、この中で前記第１の枠体及び前記第３の枠体が前記第２の枠体と同一形状に構成され、前記第１の枠体の部分、前記第２の枠体の部分及び前記第３の枠体の部分がそれぞれ２段または２段以上に積み重ね可能であることを特徴とする組み立て式簡易浴槽、を用いて被介護者を入浴させる介護方法であって、前記第１の枠体、前記第２の枠体、前記第３の枠体の積み重ね数を調整して前記浴槽の最上面を被介護者の寝台の高さに合わせるステップと、被介護者を前記浴槽部に移動させるステップと、を含むことを特徴とする。
【００３２】
この第３の介護方法により、浴槽部を補助器具などを使わずに寝台と同じ高さに設置することができ、被介護者を寝台上で横に移動させるだけで、入浴させることができるので入浴介護が容易になる。
【００３３】
【発明の実施の形態】
以下、本発明による実施の形態について図面を用いて説明する。図１は本発明による第１の実施の形態による組み立て式簡易浴槽を側面から見た透視図であり、図２はこの浴槽を背面から見た透視図である。
【００３４】
図１、図２に示すように、浴槽１は、お湯の漏出を防ぐ防水シート４と、その外周上面２ａに凸状の嵌合部５が設けられた枠体２と、その外周下面３ｂに凹状の嵌合部６が設けられた嵌合部材３と、から構成される。
【００３５】
浴槽１の組み立て方について説明すると、先ず、防水シート４を枠体２の上から被せ、防水シート４の周囲を枠体２の外周上面２ａを覆うように位置決め、枠体２の凸状の嵌合部５に対し嵌合部材３の凹状の嵌合部６が凹凸嵌合するように枠体２の上から嵌合部材３を嵌め込むことにより、防水シート４を枠体２と嵌合部材３との間に挟み込み、固定する。この枠体２の嵌合部５と嵌合部材３の嵌合部６との嵌合により、防水シート４は枠体２に強固に固定される。また、防水シート４は枠体２の中空部分を覆うようにピンと張られた状態となる。このようにして、防水シート４と枠体２と嵌合部材３とが一体に組み立てられ浴槽１が形成される。
【００３６】
図１、図２の浴槽部８は防水シート４により枠体２の中空部分に形成され、お湯を注入することで、防水シート４が沈降し凹状になり、さらに入浴者が入浴すると、入浴者の姿勢により防水シート４の凹状の形が変化し、入浴者の体形に合った凹部を形成する。
【００３７】
図１、図２の浴槽１によれば、浴槽部８は設置場所の影響を受けず、入浴時に浮力感を得ることができ、また、使用するお湯の量を従来の浴槽に比べて少なくすることができ、人体にかかる水圧も少なくなる。防水シート４は嵌合構造による嵌合のため枠体２から外れ難くなり、また、取り外しも容易となる。さらに、例えば粉末状のコラーゲンをお湯に溶きゲル状にした入浴剤などを使用すると、保温性が増し、また、比重を高くすることができるので、少量の入浴剤であっても浮力感が一層増すことになる。また、浴槽部８の底が設置場所の床より高い位置にあるので、お湯の回収作業が容易になる。
【００３８】
枠体２及び嵌合部材３は発泡樹脂からなり、例えば、発泡ポリスチレン樹脂、発泡ポリウレタン樹脂、ポリエチレン発泡樹脂、ポリプロピレン発泡樹脂などで一体に形成でき、また、非透水性樹脂により表面部分にコーティング処理を施すことが望ましい。例えば、エフレタンＳＨ−４０００（日本合成化学工業株式会社製）などがある。
【００３９】
発泡樹脂から枠体２及び嵌合部材３を構成したことにより、枠体２及び嵌合部材３は軽量化が図られ運搬や浴槽の組み立てが容易になり、発泡樹脂の保温性によりお湯の温度を保つことができる。また、発泡樹脂の弾性により例えばアクシデントなどで体をぶつけた時など、怪我を回避することができ、人体に対して優しい浴槽を構成することができる。また、非透水性樹脂でコーティング処理を施しているので、浴槽がより強靱になり浴槽の寿命を延ばすことができ、コーティング層の断熱性により浴槽内のお湯の温度を保ち、さらに、お湯を防水することで室内の様々な場所に浴槽１を設置することができる。
【００４０】
防水シート４は例えば、ポリエチレン樹脂、ポリプロピレン樹脂、ポリオレフィン樹脂、ポリ塩化ビニル樹脂、フッ素含有重合体樹脂、エチレン−酢酸ビニル共重合体樹脂、ポリエステル樹脂、ポリアミド樹脂、シリコン樹脂、ポリウレタン樹脂、ポリアクリル樹脂などの素材をフィルム状にしたものを使用することが望ましい。これにより、枠体２と嵌合部材３の嵌合構造部分に防水シート４の周囲を挟み込み易く、また、枠体２の中空部分に張った状態を維持し、入浴者の自重により入浴者の体形に合って伸びることで、入浴者の体形に合った凹状の部分を形成することが可能である。また、運搬時や収納時には小さく折り畳みまたは巻き込むことができ、さらに、傷みや汚れなどの必要に応じて交換することができる。
【００４１】
また、枠体２には底部７があり容器状に一体形成されている。これにより、枠体２の安定性が増し、防水シート４からお湯が漏れても底部７に貯まることで、外部へ流出するのを防ぎ、また、防水シート４と底部７との間に密閉された空間１１０ができ、この空間１１０が入浴時にお湯と入浴者の自重により圧縮されるが、密閉されているので、防水シート４はエアクッションの役割をはたし、浮力感が一層増す。さらに、この空間１１０の空気がお湯の温度で膨張することで、防水シート４はより一層エアクッションの機能をはたし、浮力感がより一層増す。また、浴槽部８内のお湯の温度を一定に保つことができる。
【００４２】
なお、防水シート４の周囲を枠体２の外周上面２ａに被せる際に、防水シート４を枠体２の中空部分にゆるめに張るように位置決めることで、浴槽１を組み立てた後に防水シート４が枠体２の中空部分に無加重の状態で凹状の部分を形成するようにしても良い。これにより、防水シート４と底部７との間の密閉された空間１１０が浴槽部８のお湯及び入浴者の自重により圧縮されるときの内圧を調整することができる。
【００４３】
また、図４は凹凸嵌合構造の嵌合部の具体例を示す断面図であるが、嵌合部材３の凹状の嵌合部６の形状は、図４（ａ）に示すように凹状の嵌合部６の表面６ｂから内部の方に向かって一旦狭くなり、そこからさらに内部は逆に広くなるような形状、または図４（ｂ）に示すような図４（ａ）の凹状の嵌合部６の最も内部の部分に凹状の嵌合部分６ａを持つ形状などがあり、枠体２の凸状の嵌合部５及び５ａの形状もこれに合う形状にすることで、より密閉された嵌合構造になる。
【００４４】
さらに、凸状の嵌合部５と凹状の嵌合部６の両方若しくは、どちらか一方が弾力性を持つことが望ましく、例えば枠体２及び嵌合部材３を非透水性樹脂により表面部分にコーティング処理を施す際、コーティングの厚さを嵌合部分だけ薄くすることで、この部分に弾力性を持たすことが可能である。これにより、凸状の嵌合部５と凹状の嵌合部６の嵌合時の空気の抜けが良くなり、より強力な嵌合が可能であり、また、逆に嵌合部分に空気を入れ易いので枠体２と嵌合部材３とを分解することが容易になる。さらに、凹凸嵌合時の凸状の嵌合部５や凹状の嵌合部６の破損を防ぐことができる。
【００４５】
また、枠体と嵌合部材との嵌合の別の例として図３を用いて説明する。図３は枠体と嵌合部材の嵌合の別の例を示す浴槽を側面から見た透視図であるが、図３に示すように、浴槽８０は、その外周上面８２ａが凹状の嵌合部８５を備えた枠体８２と、その外周下面８１ｂが凸状の嵌合部８６を備えた嵌合部材８１と、防水シート８３と、で構成され、枠体８２の外周上面８２ａを覆うように防水シート８３を位置決め、枠体８２の凹状の嵌合部８５に対し嵌合部材８１の凸状の嵌合部８６が凹凸嵌合するように枠体８２の上から嵌合部材８１を嵌め込むことにより、枠体８２と嵌合部材８１との間に防水シート８３を挟み込み、固定する。これにより防水シート８３は枠体８２の中空部分を覆って張られた状態となり、防水シート８３と枠体８２と嵌合部材８１とが一体に組み立てられ浴槽８０を形成し、防水シート８３により枠体８２の中空部分に浴槽部８４が形成されるように構成しても良い。
【００４６】
次に、上述の凹状の嵌合部と凸状の嵌合部との嵌合以外の嵌合例について、図５、図６、図７を用いて説明する。図５は枠体の外周上面が凹状の嵌合部を備えた浴槽を側面から見た透視図であり、図６は枠体、嵌合部材共に外周面に凹状の嵌合部を備えた浴槽を側面から見た透視図であり、図７は嵌合体による凹状の嵌合部を外周面に持つ枠体と嵌合部材との嵌合を示す断面図（ａ）及び枠体と嵌合体の角の部分での嵌合を示す斜視図（ｂ）であり、図２１は枠体の外周面に嵌合部を持たない枠体と嵌合部材との嵌合を示す断面図である。
【００４７】
図５に示すように、浴槽１０は防水シート１２と枠体１１とで構成され、枠体１１の外周上面１１ａには凹状の嵌合部１３を備えている。防水シート１２は、その周囲を枠体１１の凹状の嵌合部１３に入れ、この部分に嵌合可能で弾性体から成る例えばゴム製の弾性変形可能な棒などの嵌合体１４を嵌合し、枠体１１に固定されることで、枠体１１の中空部分を覆って張られた状態となる。このようにして、防水シート１２と枠体１１とが一体に組み立てられ浴槽１０を形成し、防水シート１２により枠体１１の中空部分に浴槽部１５が形成される。
【００４８】
図５の浴槽１０によれば、図１、２のような嵌合部材３を用いることなく防水シート１２を枠体１１に固定し、枠体１１の中空部分を覆って張ることができ、設置に必要な部品がコンパクトになり浴槽１０の運搬、収納、設置が容易になる。
【００４９】
また、図６に示すように、浴槽９０は、その外周上面９２ａに凹状の嵌合部９５を備えた枠体９２と、その外周下面９１ｂに凹状の嵌合部９６を備えた嵌合部材９１と、防水シート９３とを備え、さらに、枠体９２の凹状の嵌合部９５と嵌合部材９１の凹状の嵌合部９６との間に嵌合体９８を配置した嵌合構造により、枠体９２と嵌合部材９１との間に防水シート９３を挟み込み、固定し、防水シート９３が枠体９２の中空部分を覆って張れるように構成され、防水シート９３と枠体９２と嵌合部材９１とが一体に組み立てられ浴槽９０を形成している。これにより、防水シート９３により枠体９２の中空部分に浴槽部９４が形成される。
【００５０】
図６の浴槽９０のような凹状の嵌合部を備えた枠体と嵌合部材との嵌合は、図７（ａ）に示すように、枠体２１の凹状の嵌合部２３と嵌合し、尚かつ嵌合部材２２の凹状の嵌合部２４と嵌合し、例えばゴム製の弾性変形可能な棒などの嵌合体２５を凹状の嵌合部２３，２４の間に挟み込むことで、枠体２１と嵌合部材２２を嵌合することができる。また、嵌合部材２２の凹状の嵌合部２４に防水シート２６の周囲を入れ、この部分に嵌合体２５を挟み込み、枠体２１と嵌合部材２２を凹凸嵌合することで、防水シート２６を枠体２１と嵌合部材２２との間に固定することができる。また、図７（ｂ）に示すように枠体２１の角の部分も、これとほぼ同じ角度に曲がった形状の嵌合体２５を用いたり、弾性変形可能な嵌合体２５を枠体２１の角の部分とほぼ同じ角度に曲げたりすることで、枠体２１の凹状の嵌合部２４に嵌め込むことができる。
【００５１】
さらに、図２１（ａ）に示すように、枠体１０２の外周上面１０２ａや嵌合部材１０３の外周下面１０３ｂに、凹状または凸状の嵌合部を持たない枠体１０２と嵌合部材１０３との嵌合により防水シート１０４を固定する場合は、防水シート１０４を枠体１０２の外周上面１０２ａ全体を覆うように位置決め、枠体１０２の外周上面１０２ａに嵌合する形状の凹状の嵌合部を外周下面１０５ｂに備え，枠体１０３の外周下面１０３ｂに嵌合する形状の凹状の嵌合部を外周上面１０５ａに備えた嵌合体１０５を枠体１０２と嵌合部材１０３との間に嵌合させることで、図２１（ｂ）に示すように、防水シート１０４を枠体１０２と嵌合部材１０３との間に固定し、枠体１０２の外周上面１０２ａを覆って張ることができる。なお、この構造は枠体同士の嵌合にも適用することができる。
【００５２】
以上のように、嵌合体を用いることで凹状の嵌合部同士の嵌合や凸状の嵌合部同士の嵌合やその外周面に嵌合部を持たない枠体または嵌合部材との嵌合など様々な組み合わせの凹凸嵌合が可能になる。
【００５３】
次に、本発明による第２の実施の形態を図８、９、１０、１１を用いて説明する。図８は本発明による第２の実施の形態を示す組み立て式簡易浴槽を側面から見た透視図であり、図９はこの浴槽を構成するものの斜視図（ａ）、枠体の線Ａ−Ａに沿って切断してみた図（ｂ）、別の枠体の線Ｂ−Ｂに沿って切断してみた図（ｃ）であり、図１０は枠体と別の枠体との嵌合部分の断面図であり、図１１は枠体と別の枠体との角の部分の嵌合部分を斜めから見た断面図である。
【００５４】
図８、図９に示すように、本発明による第２の実施の形態の浴槽３０は、防水シート３３と枠体３２と枠体３１とで構成され、枠体３１はその外周上面３１ａに凸状の嵌合部３５と、その外周下面３１ｂに凹状の嵌合部３６とを備え、また、枠体３２はその外周上面３２ａに凸状の嵌合部３７と、その外周下面３２ｂに凹状の嵌合部３８とを備え、枠体３１、３２は同じ形状、同じ大きさで構成されている。
【００５５】
図８の浴槽３０の組み立て方について説明すると、図９、図１０、図１１に示すように、先ず防水シート３３の周囲を枠体３２の外周上面３２ａを覆うように位置決め、枠体３２の凸状の嵌合部３７と枠体３１の凹状の嵌合部３６とが嵌合することで、図１０に示す破線部分のように、防水シート３３の周囲を枠体３２の嵌合部３７と枠体３１の嵌合部３６との間に挟み込み、固定する。この嵌合部３６と嵌合部３７との嵌合により、防水シート３３は枠体３２に強固に固定され、また、枠体３２の中空部分を覆うようにピンと張られた状態となる。このようにして、防水シート３３と枠体３１、３２が一体に組み立てられ浴槽３０が形成される。
【００５６】
図８の浴槽部３４は防水シート３３により枠体３２の中空部分に形成され、お湯を注入することで、防水シート３３が沈降し凹状になり、さらに入浴者が入浴すると、入浴者の姿勢により防水シート３３の凹状の形が変化し、入浴者の体形に合った凹部を形成する。
【００５７】
図８の浴槽３０によれば、浴槽部３４は設置場所の影響を受けず、入浴時に浮力感を得ることができ、また、使用するお湯の量を従来の浴槽に比べて少なくすることができ、人体にかかる水圧も少なくなる。さらに、例えば粉末状のコラーゲンをお湯に溶きゲル状にした入浴剤などを使用すると、保温性が増し、また比重を高くすることができるので、少量の入浴剤であっても浮力感が一層増すことになる。
【００５８】
また、防水シート３３が嵌合構造で固定されるので、浴槽３０の使用時に枠体３２から外れ難くなり、浴槽３０の非使用時には防水シート３３と枠体３１、３２とに分解することができるので、浴槽３０の運搬や収納が容易になり、また、防水シート３３は傷みや汚れなどの必要に応じて交換することができる。さらに、枠体３１、３２が同一形状の枠体で浴槽を構成できるので、コストがかからない。
【００５９】
また、上述の本発明による第２の実施の形態において、枠体を多段に積み重ねることで高さを変えた浴槽１７０について図１２、図１３を用いて説明する。図１２は３段以上の枠体を積み重ねた組み立て式簡易浴槽の斜視図であり、図１３は３段以上の枠体を積み重ねた組み立て式簡易浴槽の断面図である。
【００６０】
図１２に示すように、浴槽１７０は枠体１７１、１７２、１７３、１７４と防水シート１７７とで構成され、また、枠体１７１、１７２、１７３、１７４は、図１３に示すように、その外周上面１７１ａ、１７２ａ、１７３ａ、１７４ａに凸状の嵌合部１７１ｃ、１７２ｃ、１７３ｃ、１７４ｃを各々備え、その外周下面１７１ｂ、１７２ｂ、１７３ｂ、１７４ｂに凹状の嵌合部１７１ｄ、１７２ｄ、１７３ｄ、１７４ｄを各々備え、同じ形状、同じ大きさで構成されている。上述の図８の浴槽３０と同様に防水シート１７７は、その周囲を枠体１７２の嵌合部１７２ｃと枠体１７３の嵌合部１７３ｄとの間に挟み込み、枠体１７２の嵌合部１７２ｃと枠体１７３の嵌合部１７３ｄとを嵌合することで固定し、枠体１７２の中空部分を覆うようにピンと張られた状態になり、この防水シート１７７により枠体１７２の中空部分に浴槽部１７８が形成される。
【００６１】
また、枠体１７２の外周下面１７２ｂの凹状の嵌合部１７２ｄと、枠体１７１の外周上面１７１ａの凸状の嵌合部１７１ｃとを嵌合し枠体１７１の上に１７２を重ねることで、浴槽１７０の枠体１７２より下部を形成し、一方、枠体１７３の外周上面１７３ａの凸状の嵌合部１７３ｃと、枠体１７４の外周下面１７４ｂの凹状の嵌合部１７４ｄとを嵌合し枠体１７３の上に１７４を重ねることで、浴槽１７０の最上部を形成している。このようにして、枠体１７１、１７２、１７３、１７４と防水シート１７７とが一体に組み立てられ３段以上の枠体を積み重ねた図１２の浴槽１７０が形成される。
【００６２】
さらに、図１３に示すように、その外周上面１７５ａ、１７６ａに凸状の嵌合部１７５ｃ、１７６ｃを各々備え、その外周下面１７５ｂ、１７６ｂに凹状の嵌合部１７５ｄ、１７６ｄを各々備え、枠体１７１〜１７４と同じ形状、同じ大きさで構成された枠体１７５、１７６を用いて、枠体１７１の外周下面１７１ｂの凹状の嵌合部１７１ｄと、枠体１７５の外周上面１７５ａの凸状の嵌合部１７５ｃとを嵌合し、枠体１７１の下に枠体１７５を取り付けることで、枠体１７５を積み重ねた分高くなった浴槽１７０を形成し、また、枠体１７５の外周下面１７５ｂの凹状の嵌合部１７５ｄと、枠体１７６の外周上面１７６ａの凸状の嵌合部１７６ｃとを嵌合し、枠体１７５の下に枠体１７６を取り付けることで、さらに枠体１７６を積み重ねた分高くなった浴槽１７０を形成する。
【００６３】
図１３の浴槽１７０は枠体１７１、１７４、１７５、１７６の積み重ねる数を変えることでその高さを変えることができ、所望の高さに合わせた浴槽１７０を設置することができる。また、枠体１７１〜１７６は、同じ形状、同じ大きさで構成されているので製造コストがかからず、浴槽１７０の所望の高さの設置に併せて必要な数を用意すれば良いので運搬が容易になる。さらに、浴槽部１７８が設置場所の床２００から枠体１７１，１７５，１７６を多段に積み上げ高くすると、サイフォン方法でお湯を排水することが簡単になる。
【００６４】
次に、本発明による第３の実施の形態を図１４、１５を用いて説明する。図１４は本発明による第３の実施の形態を示す簡易浴槽の透視図であり、図１５は本発明による第３の実施の形態を示す簡易浴槽の斜視図である。
【００６５】
図１４に示すように、浴槽５０は、その外周上面５１ａ、５２ａ、５３ａに凸状の嵌合部５１ｃ、５２ｃ、５３ｃを各々備え、その外周下面５１ｂ、５２ｂ、５３ｂに凹状の嵌合部５１ｄ、５２ｄ、５３ｄを各々備え、同じ大きさ、同じ形状の枠体５１、５２、５３と、第２の防水シート５７と、第１の防水シート５８で構成され、下述の手順で組み立てられている。
【００６６】
先ず、第１の防水シート５８の周囲を枠体５３の外周上面５３ａを覆うように位置決め、枠体５３の凸状の嵌合部５３ｃに対し枠体５２の凹状の嵌合部５２ｄが凹凸嵌合するように枠体５３の上から枠体５２を嵌め込むことにより、枠体５２と枠体５３との間に第１の防水シート５８を挟み込み、固定する。これにより、第１の防水シート５８は枠体５３の中空部分を覆うように張られた状態となる。このようにして、第１の防水シート５８と枠体５２と枠体５３とが一体に組み立てられ第２の防水シート５７からの排水を貯溜するための貯溜部５６が形成される。
【００６７】
次に、第２の防水シート５７の周囲を枠体５２の外周上面５２ａを覆うように位置決め、枠体５２の凸状の嵌合部５２ｃに対し枠体５１の凹状の嵌合部５１ｄが凹凸嵌合するように枠体５２の上から枠体５１を嵌め込むことにより、枠体５２と枠体５１との間に第２の防水シート５７を挟み込み、固定する。これにより、第２の防水シート５７は枠体５２の中空部分を覆うようにピンと張られた状態となる。このようにして、第２の防水シート５７と枠体５２と枠体５１とが一体に組み立てられ浴槽部５９が形成され、浴槽部５９と貯溜部５６とを備えた浴槽５０が組み立てられる。
【００６８】
図１４の浴槽５０によれば、入浴後に、第２の防水シート５７に穴を開けたり、第２の防水シート５７の底部に予め設置した栓を抜いたりすることで、浴槽部５９のお湯を排水し、貯溜部５６に貯溜させることができる。また、貯溜部５６に貯溜した、お湯は比較的低い位置にあるので、回収作業が容易になる。
【００６９】
また、第２の防水シート５７が入浴者及びお湯の自重で変形し体形にあった凹部を形成することが可能であるので、設置場所の影響を受けず、入浴時に浮力感を得ることができ、浴槽部５９に使用するお湯の量を従来の浴槽に比べて少なくすることができ、人体にかかる水圧も少なくなる。
【００７０】
また、第１の防水シート５８と第２の防水シート５７との間に密閉された空間１５０ができ、この密閉された空間１５０が入浴時にお湯と入浴者の自重により圧縮され、この密閉された空間１５０と第２の防水シート５７とはエアクッションの役割をはたし、浮力感が一層増す。さらに、この空間１５０の空気がお湯の温度で膨張し第２の防水シート５７がより一層エアクッションの機能をはたし、浮力感がより一層増す。また、浴槽部５９内のお湯の温度を一定に保つことができる。さらに、第２の防水シート５７からお湯が漏れても、漏れたお湯が第１の防水シート５８に貯溜し外部へ流出するのを防ぐことができる。
【００７１】
また、第１の防水シート５８の代わりとして、枠体５３が底面を有した容器状の枠体を使用するようにしても良い。
【００７２】
なお、第２の防水シート５７の周囲を枠体５２の外周上面５２ａに被せる際に、第２の防水シート５７を枠体５２の中空部分にゆるめに張るように位置決めることで、浴槽５０を組み立てた後に第２の防水シート５７が枠体５２の中空部分に無加重の状態で凹状の部分を形成するようにしても良い。これにより、第１の防水シート５８と第２の防水シート５７との間の密閉された空間１５０が浴槽部５９のお湯及び入浴者の自重により圧縮されるときの内圧を調整することができる。
【００７３】
また、第１の防水シート５８を枠体５３の中空部分に張る、張り具合を上述の第２の防水シート５７と同様に調節することで、第１の防水シート５８と第２の防水シート５７との間の密閉された空間１５０が浴槽部５９のお湯及び入浴者の自重により圧縮されるときの内圧を調整するようにしても良い。
【００７４】
また、図１５に示すように浴槽５０は、同じ形状、同じ大きさで構成された複数の枠体５２を用意し、枠体５２の数を調整することにより、高さを変えることができ、浴槽部５９を所望の高さに設置することができる。また、枠体５１〜１５３は、同じ形状、同じ大きさで構成されているので製造コストがかからず、浴槽５０の所望の高さの設置に併せて必要な数を用意すれば良いので運搬が容易になる。
【００７５】
次に、上述の図８に示す簡易浴槽３０のお湯の回収方法について図１６を用いて説明する。図１６は浴槽のお湯の回収について示した概念図である。図１６に示すように、回収装置４０は、ホース４２とホース４２と連結した空気吸い取り機４１とで構成される。ホース４２の吸水口４３を防水シート３３の底に設置し、ホース４２の排水口４４、４５を回収容器４６内に設置し、空気吸い取り機４１でホース４２内の空気を吸引することにより、浴槽内のお湯は吸水口４３から吸引されホース４２内を通って排水口４４、４５から流れ出し、回収容器４６に回収される。なお、空気吸い取り機４１は家庭用掃除機を使用することもできる。
【００７６】
この図１６に示す回収装置４０によれば、様々な場所に設置した浴槽のお湯を人力により掻き出すことなく回収することができる。
【００７７】
なお、予め防水シートの１箇所または数箇所に栓をした排出口を設け、排出ホースをこの部分に取り付け可能にしたり、排出口と一体形成にし浴槽のお湯の回収時に、栓を抜くことで排出するようにしても良い。
【００７８】
次に、本発明による第２の実施の形態の組み立て式簡易浴槽を用いた第１の介護方法を図１７、１８を用いて説明する。図１７は組み立て式簡易浴槽を用いた第１の介護方法を示すフローチャートであり、また、図１８は組み立て式簡易浴槽を用いた第１の介護方法を示す概念図である。
【００７９】
図１７に示すような設置方法の手順で、先ず、図１８（ａ）に示すように、寝台上で被介護者の下に防水シート６１を敷く（Ｓ０１）。次に、図１８（ｂ）に示すように、被介護者を囲むように、その外周上面６２ａに凸状の嵌合部６４を備えた第１の枠体６２を置き（Ｓ０２）、図１８（ｃ）に示すように、防水シート６１の周囲を第１の枠体６２の内側から外側に引き出し、第１の枠体６２全体を覆うように置く（Ｓ０３）。次に、図１８（ｄ）に示すように、第１の枠体６２の凸の嵌合部６４と嵌合可能な図１０の符号３６に対応する凹状の嵌合部を図１０の符号３１ｂに対応する外周下面に備えた第２の枠体６３を第１の枠体６２の上から嵌め込むことにより、防水シート６１はその周囲を第１の枠体６２と第２の枠体６３の嵌合部に挟み込み、固定する。これにより、第１の枠体６２と第２の枠体６３と防水シート６１とが一体に組み立てられ、浴槽６０を形成する（Ｓ０４）。ここで、防水シート６１により枠体６２の中空部分に形成された浴槽部６６にお湯を注入する（Ｓ０５）ことにより、被介護者が寝台上で浴槽６０で入浴することができる。
【００８０】
図１７に示す第１の介護方法によれば、被介護者は寝台上から移動することなく入浴することができるので、例えば寝たきりの人や体に障害を持ち寝台から移動することができない人の入浴介護が容易になる。また、防水シート６１が嵌合構造で固定されるので、浴槽６０の使用時に枠体６２から外れ難くなり、また、お湯を第１の枠体６２の外周上面６２ａを越えた高さまで注ぐことができる。
【００８１】
次に、本発明による第３の実施の形態の組み立て式簡易浴槽５０を用いた第２の介護方法を図１４と図１９を用いて説明する。図１９は本発明による第３の実施の形態の組み立て式簡易浴槽を用いた第２の介護方法を示すフローチャートである。
【００８２】
図１９に示すような手順で、先ず図１４に示すような浴槽５０の枠体５２の数を調整し浴槽５０の外周最上面５１ａを寝台とほぼ同じ高さにする（Ｓ１１）。寝台上の被介護者を浴槽部５９に移動させ（Ｓ１２）、浴槽部５９にお湯を注入し入浴させる（Ｓ１３）。入浴後、第２の防水シート５７に穴を開けたり、予め設置した排水口の栓を抜いたりすることで、浴槽部５９のお湯を排水し貯溜部５６に貯溜させる（Ｓ１４）。ここで被介護者の体や浴槽部５９内を拭き、被介護者を浴槽部５９より寝台上に移動させ（Ｓ１５）、枠体５１と第２の防水シート５７をはずし、貯溜部５６に貯溜したお湯を回収する（Ｓ１６）。
【００８３】
図１９に示す第２の介護方法によれば、浴槽部５９から簡単にお湯を排水できるので、お湯のない状態の浴槽部５９で被介護者の体を拭くことが可能になり、入浴介護が容易になる。
【００８４】
次に、本発明による第３の実施の形態の組み立て式簡易浴槽を用いた第３の介護方法を図１５、図２０を用いて説明する。図２０は本発明による第３の実施の形態の組み立て式簡易浴槽を用いた第３の介護方法を示すフローチャートである。
【００８５】
図２０に示すような手順で、先ず図１５に示すような浴槽５０を用いて、浴槽部５９より下方の積み重ね可能な枠体５２の数を調整し、浴槽５０の外周最上面５１ａを寝台とほぼ同じ高さにする（Ｓ２１）。次に、被介護者を寝台上を横に移動させ、浴槽部５９に入れる（Ｓ２２）。浴槽部５９にお湯を注入し被介護者を入浴させる（Ｓ２３）。
【００８６】
図２０に示す第３の介護方法により、浴槽部５９を補助器具などを使わずに寝台と同じ高さに設置することができ、被介護者を寝台上で横に移動させるだけで、入浴させることができるので入浴介護が容易になる。
【００８７】
なお、上述の第３の介護方法は図１２に示すような浴槽１７０を用いて、浴槽部１７８より下方の積み重ね可能な枠体１７１の数を調整し、浴槽１７０の外周最上面１７４ａを寝台とほぼ同じ高さにするようにしても良い。
【００８８】
以上のように、本発明を実施の形態により説明したが、本発明はこれらに限定されるものではなく、本発明の技術的思想の範囲内で各種の変形が可能である。例えば、枠体及び嵌合部材の平面形状が円形、長円形状、三角形、他の多角形、その他の形であっても良いことは勿論である。
【００８９】
なお、防水シートは、その周囲に枠体や嵌合部材との嵌合構造部分に対応した位置に凹部（又は凸部）を形成し、枠体や嵌合部材との間に挟み込み易くするようにしても良い。また、その防水シートの凹部（又は凸部）は、枠体や嵌合部材との嵌合により防水シートがピンと張れたり、たるみを持って張れたりできるように決めることができる。
【００９０】
また、図１、図３、図５、図６、図１４において、防水シートを支える枠体２、８２、１１、９２、５２の一部に例えば、穴１１１、１２１、１３１、１４１、１５１を設けることで、防水シートと浴槽の底部との間の密閉された空間１１０、１２０、１３０、１４０や、第１の防水シートと第２の防水シートとの間の密閉された空間１５０が浴槽部のお湯及び入浴者の自重により圧縮されても内圧が上昇しないようにすることができる。一方、上述のような浮力感を得るために内圧が必要な時は、各図に示すように、各々の穴に栓１１１ａ、１２１ａ、１３１ａ、１４１ａ、１５１ａを設けて良い。また、栓は枠体の外側又は内側に設けて良い。
【００９１】
【発明の効果】
本発明によれば、防水シートを固定し、防水シートが浴槽部において入浴者の体形に合った凹部を形成し、また、浴槽の高さを調節できる簡易浴槽、組み立て式簡易浴槽、組み立て式簡易浴槽用枠体及びこの組み立て式簡易浴槽を用いた介護方法を提供することができる。
【図面の簡単な説明】
【図１】本発明による第１の実施の形態を示す組み立て式簡易浴槽の側面から見た透視図である。
【図２】本発明による第１の実施の形態を示す組み立て式簡易浴槽の背面から見た透視図である。
【図３】本発明による第１の実施の形態を示す組み立て式簡易浴槽において、枠体と嵌合部材との嵌合の別の例を示す浴槽を側面から見た透視図である。
【図４】本発明による実施の形態を示す組み立て式簡易浴槽の凹凸嵌合構造の嵌合部の具体例を示す断面図（ａ）及び別の具体例を示す断面図（ｂ）である。
【図５】本発明による第１の実施の形態を示す組み立て式簡易浴槽において、凹状の嵌合部を備えた枠体と嵌合体との嵌合の例を示す浴槽を側面から見た透視図である。
【図６】本発明による第１の実施の形態を示す組み立て式簡易浴槽において、各々凹状の嵌合部を備えた枠体と嵌合部材との嵌合の例を示す浴槽を側面から見た透視図である。
【図７】本発明による実施の形態を示す組み立て式簡易浴槽の嵌合体による凹状の嵌合部を外周面に持つ枠体と嵌合部材との嵌合を示す断面図（ａ）、枠体の角の部分での枠体と嵌合体との嵌合を示す斜視図（ｂ）である。
【図８】本発明による第２の実施の形態を示す組み立て式簡易浴槽を側面から見た透視図である。
【図９】本発明による第２の実施の形態を示す組み立て式簡易浴槽を構成するものの斜視図（ａ）、枠体の線Ａ−Ａに沿って切断してみた断面図（ｂ）、別の枠体の線Ｂ−Ｂに沿って切断してみた断面図（ｃ）である。
【図１０】本発明による第２の実施の形態を示す組み立て式簡易浴槽の防水シートと枠体と別の枠体との嵌合部分の断面図である。
【図１１】本発明による第２の実施の形態を示す組み立て式簡易浴槽の角における防水シートと枠体と別の枠体と嵌合部分の断面を斜めから見た図である。
【図１２】本発明による第２の実施の形態を示す組み立て式簡易浴槽において、枠体を３段以上に積み重ねた場合の浴槽の斜視図である。
【図１３】本発明による第２の実施の形態を示す組み立て式簡易浴槽において、枠体を３段以上に積み重ねた場合の浴槽の断面図である。
【図１４】本発明による第３の実施の形態を示す組み立て式簡易浴槽を側面から見た透視図である。
【図１５】本発明による第３の実施の形態を示す組み立て式簡易浴槽の斜視図である。
【図１６】本発明による実施の形態を示す組み立て式簡易浴槽のお湯の回収について示した概念図である。
【図１７】本発明による第２の実施の形態を示す組み立て式簡易浴槽を用いた第１の介護方法を示すフローチャートである。
【図１８】本発明による第２の実施の形態を示す組み立て式簡易浴槽を用いた第１の介護方法を示す概念図において、被介護者の下に防水シートを敷くことを示す図（ａ）、被介護者を囲むように第１の枠体を置くことを示す図（ｂ）、防水シートの周囲を第１の枠体の内側から外側に引き出し、第１の枠体全体を覆うように置くことを示す図（ｃ）、第２の枠体を第１の枠体の上から嵌め込み、浴槽を組み立てることを示す図（ｄ）である。
【図１９】本発明による第３の実施の形態を示す組み立て式簡易浴槽を用いた第２の介護方法を示すフローチャートである。
【図２０】本発明による第２または第３の実施の形態を示す組み立て式簡易浴槽を用いた第３の介護方法を示すフローチャートである。
【図２１】本発明による実施の形態を示す組み立て式簡易浴槽の外周面に嵌合部を持たない枠体と嵌合部材との嵌合前の状態を示す断面図（ａ）、嵌合後の状態を示す断面図（ｂ）である。
【符号の説明】
１、１０、３０、５０、６０、８０、９０、１７０・・・浴槽
８、１５、３４、５９、６６、８４、９４、１７８・・・浴槽部
５６・・・貯溜部
２、１１、２１、３１、３２、５１〜５３、６２、６３、８２、９２、１０２、１７１〜１７６・・・枠体
３、２２、８１、９１、１０３・・・嵌合部材
４、１２、２６、３３、６１、８３、９３、１０４、１７７・・・防水シート
５８・・・第１の防水シート
５７・・・第２の防水シート
５、３５、３７、５１ｃ〜５３ｃ、６４、８６、１７１ｃ〜１７６ｃ・・・凸状の嵌合部
６、１３、２３、２４、３６、３８、５１ｄ〜５３ｄ、８５、９５、９６、１７１ｄ〜１７６ｄ・・・凹状の嵌合部
１４、２５、９８、１０５・・・嵌合体
７・・・枠体の底部
４０・・・回収装置
４１・・・空気吸い取り機
４２・・・ホース
４３・・・吸水口
４４、４５・・・排水口
４６・・・回収容器
１１１、１２１、１３１、１４１、１５１・・・穴
１１１ａ、１２１ａ、１３１ａ、１４１ａ、１５１ａ・・・栓
１１０、１２０、１３０、１４０、１５０・・・密閉された空間
２００・・・設置場所の床
【図１】
0003725048.tif 000002
【図２】
0003725048.tif 000003
【図３】
0003725048.tif 000004
【図４】
0003725048.tif 000005
【図５】
0003725048.tif 000006
【図６】
0003725048.tif 000007
【図７】
0003725048.tif 000008
【図８】
0003725048.tif 000009
【図９】
0003725048.tif 000010
【図１０】
0003725048.tif 000011
【図１１】
0003725048.tif 000012
【図１２】
0003725048.tif 000013
【図１３】
0003725048.tif 000014
【図１４】
0003725048.tif 000015
【図１５】
0003725048.tif 000016
【図１６】
0003725048.tif 000017
【図１７】
0003725048.tif 000018
【図１８】
0003725048.tif 000019
【図１９】
0003725048.tif 000020
【図２０】
0003725048.tif 000021
【図２１】
0003725048.tif 000022